Podtech/llm-jp-corpus-v4-ja_patent huggingface dataset:
(57)【要約】      （修正有）【課題】手汗による滑りを防止する三味線用撥を提供する。【解決手段】撥の持ち手の側面部分に、ウレタンゴム製の突起物を両面粘着テープなどで接着し、中指と薬指の第二関節付近で挟持することで滑りを防止する。さらに指先が触れる部分には、滑り止め効果を得るためナイロン製の起毛テープを張り付ける。【選択図】図１
0003185068.tif 000002
【実用新案登録請求の範囲】
【請求項１】
撥の持ち手の側面部分に、手汗による手の滑りを防止するため、突起物を設け、この突起物は略逆Ｔ字状をなし、前記略逆Ｔ字状の縦辺部は、手の指で挟持する挟持部をなし、横辺部分は前記持ち手部分に接着する接着部分をなすことを特徴とする三味線用撥。
【請求項２】
前記突起物は、ウレタンゴム製であり、前記持ち手部分で手の指先が触れる部分には、指先の滑り止めのため、ナイロン製の起毛テープを表面に張り付けたことを特徴とする、請求項１記載の三味線用撥。  図１、図５参照。
【考案の詳細な説明】
【技術分野】
【０００１】
本考案は、手汗による滑りを防止する三味線用撥に関する。
【背景技術】
【０００２】
従来の三味線用撥の構造は、図７に示すように、持ち手には突起物や滑り止めはない。
また、非実用新案登録文献１に示すインターネットのウエブサイトページには、撥の持ち手部分に、筒状のゴムを被せ、滑り止めをする製品が販売されている。
【先行技術文献】
【非特許文献】
【０００３】
【非特許文献１】http://item.rakuten.co.jp/sonido/sh200-012-1000/
【考案の概要】
【考案が解決しようとする課題】
【０００４】
三味線用の通常の撥は、表面がツルツルしており手に汗をかくと撥の持ち手が滑り、
思うように演奏ができない。また、非特許文献１の筒状のゴムは、滑り止めの一定の効果はあるが、多量に手汗が出た場合は効果が弱くなる。また細かな撥さばきを行う演奏では、より完全な滑り止めが求められる。本考案は、手汗による滑りをより完全に防止する三味線用撥を提供する。
【課題を解決するための手段】
【０００５】
以上の課題を解決するために、第一考案は撥の持ち手部分側面に、手汗による手の滑りを防止するための突起物を設け、この突起物は略逆Ｔ字状をなし、前記略逆Ｔ字状の縦辺部は、手の指で挟持する挟持部をなし、横辺部分は前記持ち手部分に接着する接着部分をなすことを特徴とする三味線用撥である。
第二考案は、さらに前記突起物はウレタンゴム製であり、前記持ち手部分で、手の指先が触れる部位には、指先の滑り止めのため、ナイロン製の起毛テープを表面に張り付けたことを特徴とする請求項１記載の三味線用撥である。
【考案の効果】
【０００６】
第一考案、または第二考案によれば、突起物の略逆Ｔ字状の縦辺部を、手の指で挟持することにより、手汗による撥の滑りをより完全に防止出来る。 第二考案によれば、さらに手の指先が触れる部分の滑りも防止でき、より完璧に、滑りを防止できる。
【図面の簡単な説明】
【０００７】
【図１】本考案の一実施形態を示した、斜視図（裏側）である。
【図２】本考案の一実施形態を示した、表側図である。
【図３】本考案の一実施形態を示した、拡大図である。
【図４】本考案の一実施形態を示した、手に持った場合の手の甲側図である。
【図５】本考案の一実施形態を示した、手に持った場合の手のひら側図である。
【図６】従来技術を示した斜視図である。
【考案を実施するための形態】
【０００８】
以下、本考案の一実施形態を、図に基づいて説明する。
【実施例１】
【０００９】
図１から図５は、撥の持ち手の側面に、？のウレタンゴム製の突起物を両面粘着テープで張り付け、中指と薬指の第二関節付近で挟持し、ひっかけるようにして持つ。
【実施例２】
【００１０】
図４〜図５は、撥の持ち手の側面の、？のウレタンゴム製の突起物を両面粘着テープで張り付け、中指と薬指の第二関節付近で挟持し、ひっかけるようにして持つ事で、手汗が出ても突起物がストッパーとなり、持ち手が滑ることはない。
「他の実施形態」
図２の実施形態ではウレタンゴム製の突起物であるが、他の実施形態では、竹・木・象牙・合成樹脂などで用いた突起物を、両面粘着テープや接着剤などで固定しても良い。
【産業上の利用可能性】
【００１１】
本考案は、三味線用の撥を製造する産業で利用される。
【符号の説明】
【００１２】
ア  ウレタンゴム製突起物
イ  ナイロン製の起毛テープ（指先用すべり止め）
ウ  三味線撥本体
【図１】
0003185068.tif 000003
【図２】
0003185068.tif 000004
【図３】
0003185068.tif 000005
【図４】
0003185068.tif 000006
【図５】
0003185068.tif 000007
【図６】
0003185068.tif 000008
【手続補正書】
【提出日】平成25年5月31日(2013.5.31)
【手続補正１】
【補正対象書類名】実用新案登録請求の範囲
【補正対象項目名】全文
【補正方法】変更
【補正の内容】
【実用新案登録請求の範囲】
【請求項１】
撥の持ち手の側面部分に、手汗による手の滑りを防止するため、突起物を設け、この突起物は略逆Ｔ字状をなし、前記略逆Ｔ字状の縦辺部は、手の指で挟持する挟持部をなし、横辺部分は前記持ち手部分に接着する接着部分をなすことを特徴とする三味線用撥。
【請求項２】
前記突起物は、ウレタンゴム製であり、前記持ち手部分で手の指先が触れる部分には、指先の滑り止めのため、ナイロン製の起毛テープを表面に張り付けたことを特徴とする、請求項１記載の三味線用撥。
(57)【要約】      （修正有）【課題】従来の眼鏡フレームには無い、瞼パットを取り付けることにより瞼下垂による視野障害を改善する眼鏡を提供する。【解決手段】元来、眼鏡は視力矯正にのみ使用されているが、眼鏡フレーム本体に、瞼を押さえるためのパット２を取り付けることにより下垂してきた瞼を押さえ、瞼が下垂することを防ぎ視界が改善することが出来る。【選択図】図２
0003185045.tif 000002
【実用新案登録請求の範囲】
【請求項１】
眼鏡本体に瞼を抑えるためのパットが付いている眼鏡
【考案の詳細な説明】
【実用新案登録請求の範囲】
【請求項１】
眼鏡本体に瞼を抑えるためのパットが付いている眼鏡
【技術分野】
【００１】本考案は従来の眼鏡フレームには無い、瞼パットを取り付けることにより瞼下垂による視野障害を改善しようとするものである。
【背景技術】
【００２】従来の眼鏡フレーム本体には、眼鏡を支えるだけの鼻パットのみが付属していた。
【考案が解決しようとする課題】
【００３】元来、眼鏡は、視力矯正のためにのみ使用されているが、加齢とともに瞼が下垂し、次第に視力に影響を及ぼすようになっている。
本考案はこの課題を解消するためになされたものである。
【課題を解決するための手段】
【００４】眼鏡フレーム本体１に瞼パット２を付けるようにする
【考案の効果】
【００５】今までの眼鏡本体は、視力矯正のためのレンズの付いたフレームを支えるための鼻パットのみが付いていたが、眼鏡本体に瞼パットを付属することにより、加齢とともに下垂する瞼を抑えることが出来、加齢とともに生じる視野の障害を抑えることが出来るようになる。
【図面の簡単な説明】
【図１】本体斜視図
【図２】本体平面図
【符号の説明】▲１▼  眼鏡本体
▲２▼  瞼パット
▲３▼  鼻パット
【図１】
0003185045.tif 000003
【図２】
0003185045.tif 000004
【手続補正書】
【提出日】平成25年5月10日(2013.5.10)
【手続補正１】
【補正対象書類名】実用新案登録請求の範囲
【補正対象項目名】全文
【補正方法】変更
【補正の内容】
【実用新案登録請求の範囲】
【請求項１】
レンズ上部に存在するフレーム本体に、瞼を抑えるためのパットが設けられていることを特徴とする眼鏡。
【手続補正２】
【補正対象書類名】明細書
【補正対象項目名】全文
【補正方法】変更
【補正の内容】
【考案の詳細な説明】
【技術分野】
【００１】本考案は従来の眼鏡フレームには無い、瞼パットを取り付けることにより瞼下垂による視野障害を改善しようとするものである。
【背景技術】
【００２】従来の眼鏡フレーム本体には、眼鏡を支えるだけの鼻パットのみが付属していた
【考案が解決しようとする課題】
【００３】  元来、眼鏡は視力矯正のためにのみ使用されているが、加齢とともに瞼が下垂し、次第に視力に影響を及ぼすようになっている。
本考案はこの課題を解消するためになされたものである。
【課題を解決するための手段】
【００４】  眼鏡フレーム本体１に瞼パット２を付けるようにする。
【考案の効果】
【００５】  今までの眼鏡本体は、視力矯正のためのレンズの付いたフレームを支えるための鼻パットのみが付いていたが、眼鏡本体に瞼パットを付属することにより、加齢とともに下垂する瞼を抑えることが出来、加齢とともに生じる視野の障害を抑えことが出来るようになる。
【図面の簡単な説明】
【００６】
【図１】  本体斜視図
【図２】  本体平面図
【符号の説明】
【００７】１  眼鏡本体
２  瞼パット
３  鼻パット
(57)【要約】      （修正有）【課題】髪のトップ部分にボリュームを出すことが出来、薄毛・白髪・髪やせなど様々な女性の髪の悩みを補うことが出来る帽子を提供する。【解決手段】土台３と、前記土台の表側に設けられたつけ毛及び飾りと、前記土台の裏側に設けられたピン４と、を備えた帽子であって、前記飾りと前記つけ毛とが隣接しており、前記ピンにより髪に取り付け可能となっている。【選択図】図３
0003185044.tif 000002
【実用新案登録請求の範囲】
【請求項１】
帽子の飾り部分とつけ毛の部分が一体化し、ピンにより髪に取り付けてかぶることのできる帽子
【請求項２】
つけ毛の部分を取り外し、飾りの部分のみピンにより髪に取り付けてかぶることのできる帽子
【考案の詳細な説明】
【技術分野】
【０００１】本考案は１個の帽子で用途が多様化できる
【背景技術】
【０００２】従来はこのような発想はなく、用途別に製造又は販売されている
【考案の開示】
【考案が解決しようとする課題】
【０００３】髪のトップにボリュームを出せる帽子
【課題を解決するための手段】
【０００４】土台部分につけ毛と飾りをつけ、裏にピンをつけ髪に取り付けることが出来る帽子
つけ髪の部分は取り外し、飾りのみでも使用することができる帽子
つけ毛の部分で髪のトップのボリュームを出すことが出来る
【考案の効果】
【０００５】この製品によって髪のトップ部分にボリュームを出すことが出来る
薄毛・白髪・髪やせなど様々な女性の髪の悩みを補うことが出来る【０００６】今まではない帽子
【実施例】
【図面の簡単な説明】
【０００７】
【図１】  帽子土台につけ毛と飾りをつけた横面図である
【図２】  帽子土台からつけ毛部分をはずした横面図である
【図３】  帽子後ろ側のピンをつけた横図面である
【符号の説明】１    飾り部分
２    つけ毛の部分
３    土台になる部分
４    土台後ろのピン部分
【図１】
0003185044.tif 000003
【図２】
0003185044.tif 000004
【図３】
0003185044.tif 000005
【手続補正書】
【提出日】平成25年5月9日(2013.5.9)
【手続補正１】
【補正対象書類名】実用新案登録請求の範囲
【補正対象項目名】全文
【補正方法】変更
【補正の内容】
【実用新案登録請求の範囲】
【請求項１】
土台と、前記土台の表側に設けられたつけ毛及び飾りと、前記土台の裏側に設けられたピンと、を備えた帽子であって、前記飾りと前記つけ毛とが隣接しており、前記ピンにより髪に取り付け可能となっていることを特徴とする帽子。
【請求項２】
土台と、前記土台の表側に設けられたつけ毛及び飾りと、前記土台の裏側に設けられたピンと、を備えた帽子であって、前記飾りと前記つけ毛とが隣接しており、前記つけ毛が前記土台から取り外し可能とされ、前記ピンにより髪に取り付け可能となっていることを特徴する帽子。
(57)【要約】      （修正有）【課題】カレンダーボタンを備えたリモコンを提供する。【解決手段】テレビリモコン、録画機のテレビ操作リモコン、スマートホンアプリのテレビリモコンのいずれかのリモコンである。リモコンの表面に、カレンダーを表示するためのカレンダーボタンを設けた。これにより、簡単にカレンダー表示ができるので、家庭・学校・会社等他、いろんな所で行事予定などを立てやすく、確認も出来る。【選択図】図１
0003185048.tif 000002
【実用新案登録請求の範囲】
【請求項１】
テレビリモコン・録画機のテレビ操作リモコン・スマ−トホンアプリのテレビリモコンに取付けるカレンダ−又は別名スケジュ−ルボタンでカレンダ−を表示させることができる。
【請求項２】
音声により、上記リモコンの機能が働き、カレンダ−の表示をする。
【請求項３】
上記リモコンは外国から輸入され、日本国内で使用される製品及び日本で製造される輸出製品にも利用することができる。
【考案の詳細な説明】
【技術分野】
【０００１】  本考案は、テレビ・録画機・スマ−トホンアプリのテレビ用のリモコンにカレンダ−ボタン又は、別名スケジュ−ルボタンを取付ける。
【背景技術】
【０００２】  現在発売されているテレビ・録画機・スマ−トホンアプリのテレビ用のリモコンにカレンダ−又は、別名スケジュ−ルボタンが付いているリモコンが存在していない。
【考案の概要】
【考案が解決しようとする課題】
【０００３】  本考案は、テレビ・録画機・スマ−トホンアプリのテレビ用リモコンにカレンダ−又は別名スケジュ−ルボタンを取付け、テレビ画面にカレンダ−を表示する。テレビに表示するカレンダ−は各メ−カ−のオリジナルデザインになります。
【考案の効果】
【０００４】  本考案は、上記リモコンにカレンダ−又は別名スケジュ−ルボタンをつけることにより、簡単にカレンダー表示ができるので、家庭・学校・会社等他、いろんな所で行事予定などを立てやすく、確認も出来る。
【図面の簡単な説明】
【０００５】
【図１】代表的テレビリモコン図
【図１】
0003185048.tif 000003
【手続補正書】
【提出日】平成25年5月8日(2013.5.8)
【手続補正２】
【補正対象書類名】実用新案登録請求の範囲
【補正対象項目名】全文
【補正方法】変更
【補正の内容】
【実用新案登録請求の範囲】
【請求項１】
テレビリモコン、録画機のテレビ操作リモコン、スマ−トホンアプリのテレビリモコンのいずれかのリモコンであって、前記リモコンの表面に、カレンダ−を表示するためのカレンダ−ボタンを設けたことを特徴とするリモコン。
【請求項２】
音声によりカレンダ−を表示することが出来る音声認識手段を備えたことを特徴とする請求項１記載のリモコン。
(57)【要約】      （修正有）【課題】収納庫とコタツを組み合わせることにより簡単に堀コタツ感覚を楽しめること、また堀コタツが不要な時チェストベッドや収納棚など別の用途に組み変えられる収納庫付きコタツを提供する。【解決手段】継ぎ脚２など高さを調整できる正方形のコタツ１をコタツの一辺の長さの幅、コタツの一辺の半分の奥行きにした６個の収納庫３で囲み堀コタツ風にしたことを特徴とする。不要な時は組み変えてチェストベッド、収納棚、コタツを低くしてお座敷などに組み変えることができる。【選択図】図１
0003185049.tif 000002
【実用新案登録請求の範囲】
【請求項１】
コタツの脚の高さを変えられる正方形のコタツと、収納庫の寸法を正方形のコタツの一辺の長さの幅にし、奥行きを正方形のコタツの一辺の半分にすると６個の収納庫でコタツを囲める。これをセットにする。組み合わせ次第でお座敷堀コタツ、チェストベッドとコタツ、収納庫とコタツ、こ上がりのお座敷などへ用途に応じて変ぼうする収納庫付きコタツ。
【考案の詳細な説明】
【技術分野】
【０００１】  本考案は収納庫とコタツを組み合わせることによって、座敷でゆっくり脚を伸ばせる堀コタツの感覚を楽しめるようにした収納庫つきコタツである。また組み合わせを変えることによりチェストベッドとコタツ、収納棚とコタツなどに成る。コタツの脚を低くし収納庫と同じ高さにすることでこ上がりのお座敷になる。
【背景技術】
【０００２】  従来の堀コタツはゆったり脚を伸ばせてくつろげるが、据え付け工事をしなくてはならない。また別の場所へ移動させることもできない。普通のコタツは正座を強いられ窮屈である。
【考案の概要】
【考案が解決しようとする課題】
【０００３】  一般の家庭ではコタツが普及しているが脚をゆっくり伸ばせない。そのため正座や横座わりをしている。年寄りにとっては、骨の変形にもつながる。脚を伸ばせる堀コタツがあるが工事を必要とし、不要な時応用がきかない。本考案はこの課題を解消するためなされたものである。
【課題を解決するための手段】
【０００４】  脚をゆっくり伸ばせるようにするためコタツの脚（２）を継ぎ脚などで長めにして収納庫（３）に座った時コタツ（１）として合う高さにする。収納庫はコタツの幅に合う寸法にし、コタツを収納庫６個で囲むと堀コタツ風になる。また堀コタツが不要な時は、チェストベッド、収納棚などに組み変えられる。
【考案の効果】
【０００５】  収納庫の高さを利用して、腰かけられるため、お座敷でゆっくり脚を伸ばせる堀コタツ感覚になる。また組み変えられるためチェストベッド、収納棚、お座敷などになる。
【考案を実施するための形態】
【０００６】  図１は、本考案の実施例をあらわす。脚（２）を継ぎ脚などで長めにした正方形のコタツ（１）を、正方形のコタツの一辺の長さの幅にし、奥行きを正方形のコタツの一辺の半分にした引き出し（４）フタ付（５）の収納庫（３）６個で囲み、堀コタツ風にしたものである。
図２は、組み合わせ例である。（イ）はコタツの脚を短くし収納庫の高さにした場合、こ上がりのお座敷になる。（ロ）はチェストベッドとコタツ（ハ）は収納棚とコタツ
【図面の簡単な説明】
【０００７】
【図１】本考案の斜視図である
【図２】本考案を組み変えてできる斜視図である
【符号の説明】
【０００８】  １  コタツ
２  コタツの脚
３  収納庫
４  引き出し
５  フタ
【図１】
0003185049.tif 000003
【図２】
0003185049.tif 000004
【手続補正書】
【提出日】平成25年5月8日(2013.5.8)
【手続補正１】
【補正対象書類名】実用新案登録請求の範囲
【補正対象項目名】請求項１
【補正方法】変更
【補正の内容】
【請求項１】
コタツの脚の高さを変えられる正方形のコタツと、寸法を前記正方形のコタツの一辺の長さの幅にし、奥行きを前記正方形のコタツの一辺の半分にした６個の収納庫と、によって構成される収納庫付きコタツ。
(57)【要約】      （修正有）【課題】長時間使用したときの皮膚へのチューブ直接接触の不快感を防止する酸素鼻孔カニューラ装着具を提供する。【解決手段】酸素母校カニューラ本体１にクッション材２を設ける。クッション材は、着脱可能な形状（例えばＣの字になったクッション材）とし、皮膚に接触する部分を回避する。また、さまざまな顔の形に対応する様にチューブに装着した後も微調整できるようにし、且つ装着後（調整後）はずれにくいようにクッション内部はすべり防止素材を使用する。【選択図】図１
0003185046.tif 000002
【実用新案登録請求の範囲】
【請求項１】
酸素鼻孔カニューラに皮膚接触部にクッションを設け、万人の顔のサイズに調節できるように着脱可能かつ、装着後の微調整が出来るようにし、長時間の鼻孔カニューラ装着不快感の軽減、顔に付く跡などの軽減、防止を特徴とする酸素鼻孔カニューラ快適装着具。
【考案の詳細な説明】
【技術分野】
【０００１】  本考案は、酸素鼻孔カニューラにクッションを設けた、チューブへの装着具である。
【背景技術】
【０００２】病院、自宅療養において酸素吸入等をし、酸素鼻孔カニューラを使用する場合、チューブが直接皮膚に当たっていた。
【考案の概要】
【考案が解決しようとする課題】
【０００３】酸素鼻孔カニューラを継続的に使用していく場合、チューブが顔等の皮膚に直接触れている時間が長くなる。長時間の装着は、接地面によるかゆみや、顔に残るチューブの跡を引き起こす。従って、酸素鼻孔カニューラにクッション剤を装着することによって不快感をなくすことが可能になり前述の欠点を解決しようとしたものである。
【課題を解決するための手段】
【０００４】本考案は、酸素鼻孔カニューラに脱着可能なクッションを設け、さまざまな顔の形に対応する様にチューブに装着した後も微調整できるようにし、且つ装着後（調整後）はずれにくいようにクッション内部はすべり防止素材を使用していることにより、問題点を解決している。
【考案の効果】
【０００５】  上記のように、鼻孔カニューラによる酸素吸入等の妨げにならず、クッションを接触面に自由に取り付けられることによって、直接皮膚に当たっていたチューブの不快感などの問題点を解決している。
【図面の簡単な説明】
【０００６】
【図１】本考案の酸素鼻孔カニューラ快適装着具の実施例を示す正面図（装着時）である。
【図２】本考案の酸素鼻孔カニューラ快適装着具の一部切断図である。
【符号の説明】
【０００７】１  酸素鼻孔カニューラ
２  クッション材
【図１】
0003185046.tif 000003
【図２】
0003185046.tif 000004
【手続補正書】
【提出日】平成25年5月8日(2013.5.8)
【手続補正１】
【補正対象書類名】実用新案登録請求の範囲
【補正対象項目名】全文
【補正方法】変更
【補正の内容】
【実用新案登録請求の範囲】
【請求項１】
断面円弧状の筒型であり、かつ内面に滑り防止素材を備えるクッションからなる酸素鼻孔カニューラ快適装着具
(57)【要約】      （修正有）【課題】コンピュータやネットワーク機器のＬＡＮポートに設置されたＬＩＮＫランプやＡＣＴランプ等の状態（光）を、目視確認できるＬＡＮケーブルを提供する。【解決手段】ＬＡＮケーブル１におけるコネクタ部２が、コンピュータやハブ等のネットワーク機器のＬＡＮポートに接続された時、光誘導部４ａと４ｂの断面がＬＩＮＫランプやＡＣＴランプ等に近接し、そのランプの光をケーブル３に沿って誘導する。これにより、ＬＡＮケーブル１を目視することで、ＬＩＮＫランプやＡＣＴランプ等の状態（光）を確認することができる。【選択図】図１
0003185692.tif 000002
【実用新案登録請求の範囲】
【請求項１】
コンピュータやネットワーク機器のＬＡＮポートに設置されたＬＩＮＫランプやＡＣＴランプ等の光を誘導する光誘導部を有することを特徴とし、ＬＩＮＫランプやＡＣＴランプ等の状態（光）を、目視確認可能としたＬＡＮケーブル
【考案の詳細な説明】
【技術分野】
【０００１】
本考案は、コンピュータやハブ等のネットワーク機器同士を接続するためのＬＡＮケーブルに関する。
【背景技術】
【０００２】
ＬＡＮケーブルに関する技術がいくつか知られている。例えば、複数のコンピュータを接続してネットワークを構成する場合、各コンピュータとハブ等とをＬＡＮケーブルによって接続することが行われている。
【０００３】
また、ＬＡＮケーブルに関する他の技術として、電源供給を受けて発光し、複数のＬＡＮケーブルが一箇所に集中している場合に任意のＬＡＮケーブルを容易に探し出すことができるＬＡＮケーブルが知られている。
【先行技術文献】
【特許文献】
【０００４】
【特許文献１】特開２００２−１９８９８５号公報
【特許文献２】特開２００７−２６５６８１号公報
【考案の概要】
【考案が解決しようとする課題】
【０００５】
例えば、従来のＬＡＮケーブルを用いてコンピュータがネットワークに接続されている構成において、コンピュータからネットワークに接続できなくなった場合、コンピュータとハブ等のネットワーク機器同士の接続状態を確認する。
【０００６】
しかしながら、ＬＡＮケーブルには接続状態を表示する機能が無いという問題がある。
【０００７】
また、デスクトップ型のコンピュータのＬＡＮポートは、背面についている場合が多く、ＬＩＮＫランプやＡＣＴランプ等を目視で確認するのは困難である場合が多いという問題もある。
【０００８】
１つの側面で、本考案はＬＡＮケーブルにコンピュータやネットワーク機器のＬＩＮＫランプやＡＣＴランプ等の状態（光）を表示することを目的とする。
【課題を解決するための手段】
【０００９】
上記目的を達成するために、開示のＬＡＮケーブルが提供される。このＬＡＮケーブルは、コネクタ部とケーブル部と光誘導部とを有している。
【００１０】
コネクタ部は、コンピュータやハブ等のネットワーク機器のＬＡＮポートに接続する。ケーブル部は、導体を絶縁体によって被覆した複数の芯線を有し、ＬＡＮケーブルの両端間での通信を行う。光誘導部は、コンピュータやネットワーク機器のＬＡＮポートにあるＬＩＮＫランプやＡＣＴランプ等の光をＬＡＮケーブルに誘導する。
【考案の効果】
【００１１】
一態様では、コンピュータやネットワーク機器のＬＩＮＫランプやＡＣＴランプ等の状態（光）を、ＬＡＮケーブルを目視することで確認することができる。
【図面の簡単な説明】
【００１２】
【図１】実施の形態のＬＡＮケーブルを示す図である。
【考案を実施するための形態】
【００１３】
以下、実施の形態のＬＡＮケーブルを、図面を参照して詳細に説明する。
＜実施の形態＞
図１は、実施の形態のＬＡＮケーブルを示す斜視図である。
【００１４】
実施の形態のＬＡＮケーブル１は、コネクタ部２と、ケーブル部３と光誘導部４ａ、４ｂを有している。
【００１５】
なお、図１にはＬＡＮケーブル１の一端のみが示されているが、ＬＡＮケーブル１の他端にもコネクタ部２が取り付けられている。
【００１６】
ケーブル部３は、両端に接続されたコネクタ部２を介して、コンピュータやハブ等のネットワーク機器間での通信を行う従来のＬＡＮケーブルを構成する。
【００１７】
光誘導部４ａと４ｂは、光ファイバー等の光を通す素材で構成され、コネクタ部２に固定されており、コネクタ部２がコンピュータやハブ等のネットワーク機器のＬＡＮポートに接続された時、光誘導部４ａと４ｂの断面がＬＩＮＫランプやＡＣＴランプ等に近接することで、そのランプの光をケーブル３に沿って誘導する。
そして、誘導された光によって、光誘導部４ａと４ｂの他端もしくは側面、またはその両方が発光することにより、ＬＡＮケーブルを目視することで、ＬＩＮＫランプやＡＣＴランプ等の状態（光）を確認できる。
【００１８】
なお、本実施の形態では、光誘導部４ａと４ｂが、コネクタ部２に固定されているものについて説明した。しかし、これに限らず、コネクタ部２を保護するカバーなどに固定されている形態でも良い。
【００１９】
また、本実施の形態では、光誘導部４ａと４ｂがコネクタ部２の左右に対を成している形態について説明した。しかし、これに限らず、どちらか一方のみ有している形態でも良い。
【００２０】
さらに、本実施の形態では、ＬＡＮケーブル１の一端のみ示されているが、光誘導部４ａと４ｂは、ＬＡＮケーブル１の他端も同様の形状でも良いし、一端のみが本実施の形態でも良い。そして、ＬＡＮケーブル１の他端も同様の形状である場合、光誘導部４ａと４ｂは、他端側と一体である形状でも良いし、独立している形状でも良い。
【００２１】
また、本実施の形態では、光誘導部４ａと４ｂは、ケーブル部３に沿わせた形状を図１に示しているが、ケーブル部３と一体化している形状でも良いし、それぞれが独立している形状でも良い。
【００２２】
以上、本考案のＬＡＮケーブルを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【００２３】
また、本考案は、前述した各実施の形態のうちの、任意の２以上の構成（特徴）を組み合わせたものであってもよい。
【符号の説明】
【００２４】
１  ＬＡＮケーブル
２  コネクタ部
３  ケーブル部
４ａ、４ｂ  光誘導部
【図１】
0003185692.tif 000003
(57)【要約】      （修正有）【課題】簡単に、確実に、低コストで組み立てられる差込式紙トレーを提供する。【解決手段】底面４と、２つの縦側面２と、２つの横側面３からなる直方体状の紙トレーである。縦側面２は、内向縦側面２１、外向縦側面２３、その間の縦側山折用罫線から構成される。外向縦側面２３の両端には差込フラップ２４を備え、差込フラップ２４の内側曲線上に凸ロック２５を備える。横側面３は、内向横側面３１、外向横側面３３、その間の横側山折用罫線３２から構成される。横側山折用罫線３２の両端部に凹ロック３４の切り込を備える。底面４の横側底面谷折罫線４２上には、両端にカット４３を備え、カット４３を下げることで、凸ロック２５を凹ロックに差込ロックができるようにした。【選択図】図１
0003185680.tif 000002
【実用新案登録請求の範囲】
【請求項１】
底面４と、２つの縦側面２と、２つの横側面からなる直方体状の紙トレーであって、
縦側面２は、内向縦側面２１、外向縦側面２３、その間の縦側山折用罫線２２から構成され、
外向縦側面２３の両端には差込フラップ２４を備え、差込フラップ２４の内側曲線上に凸ロック２５を備え、横側面３は、内向横側面３１、外向横側面３３、その間の横側山折用罫線３２から構成され、横側山折用罫線３２の両端部に凹ロック３４の切り込みを備え、底面４の横側底面谷折罫線４２上には、両端にカット４３を備え、カット４３を下げることで、凸ロック２５を凹ロックに差し込みロックができるようにした事を特徴とする差込式紙トレー。
【考案の詳細な説明】
【技術分野】
【０００１】本新案は、組立て展開を簡易に可能な紙トレーに関する。
【背景技術】
【０００２】紙器は非常に多くの形式を持ち、実用性・外観に優れた物が多く使われている。  その中で紙トレーは、必要原紙面積の点からも多く使われているが、糊貼部が外側に露呈してしまい外観を損なう。組み立てると展開できないため輸送時に嵩が大きくなるという問題があった。
【考案の概要】
【考案が解決しようとする課題】
【０００３】従来の紙トレーでは展開できないため、輸送時に嵩が大きくなる。
簡単に、確実に、低コストで組み立てられる紙トレーが求められている。
【課題を解決するための手段】
【０００４】底面４と、２つの縦側面２と、２つの横側面からなる直方体状の紙トレーであって、
縦側面２は、内向縦側面２１、外向縦側面２３、その間の縦側山折用罫線から構成され、外向縦側面２３の両端には差込フラップ２４を備え、差込フラップ２４の内側曲線上に凸ロック２５を備え、横側面３は、内向横側面３１、外向横側面３３、その間の横側山折用罫線３２から構成され、横側山折用罫線３２の両端部に凹ロック３４の切り込を備え、底面４の横側底面谷折罫線４２上には、両端にカット４３を備え、カット４３を下げることで、凸ロック２５を凹ロックに差込ロックが出来るようにした事を特徴とする差込式紙トレー。
【考案の効果】
【０００５】簡単に、確実に、低コストで組み立てられる紙トレーを提供する。
本考案の差込式紙トレーは、糊貼部が外側に露呈してしまい外観を損なうことが無く、組立て、展開が容易に出来るため、嵩を小さくして輸送が可能となる。
又、特殊な貼り加工の工程をパスできるためコストの削減が可能で、表と裏の色が違う場合でも、外面まで折り返すことで内面と外観の色を統一できる。
【図面の簡単な説明】
【０００６】
【図１】差込式紙トレー展開図
【図２】差込式紙トレーの差込ロック箇所の説明
【考案を実施するための形態】
【０００７】本考案の差込式紙トレーの実施形態を以下に説明する。
図１は差込式紙トレー展開図である。
差込式紙トレーは、直方体で、底面４と、対向する一対の縦側面２と、対向する一対の横側面からなる。
縦側面２は、内向縦側面２１、外向縦側面２３、その間の縦側山折用罫線２５から構成される。外向縦側面２３の両端には差込フラップ２４を備え、差込フラップ２４の内側曲線上に凸ロック２５を備える。
差込式紙トレー１は、底面４の一対の対向端部に縦側底面谷折罫線４１を介して内向縦側面２１が連設され、内向縦側面２２の外側に縦側山折用罫線２２を介して外向縦側面２３が連設され、外向縦側面２３の両端部に差込フラップ２４が連設され、差込フラップ２４の内側曲線上に凸ロック２５が返しのようにある。
【０００８】横側面３は、内向横側面３１、外向横側面３３、その間の横側山折用罫線３２から構成される。横側山折用罫線３２の両端部に凹ロック３４の切り込みを備える。
底面４の他の対向端部に横側底面谷折罫線４２を介して内向横側面３１が連設され、内向横側面３１の外側に横側山折用罫線３２を介して外向横側面３３が連設され、横側山折用罫線３２の両端部に凹ロック３４の切り込みがある。底面４の横側底面谷折罫線４２上には、両端にカット４３がある。
【０００９】組み方として、内向縦側側面２１と外向縦側面２３を縦側山折用罫線２２を介して内部で接合され、内向横側側面３１と外向横側面３３を横側山折用罫線３２を介し内部で部分的に接合され、底面４と内向縦側側面２１を縦側底面谷折罫線４１を介して立ち上げ、底面４と内向横側側面３１を横側底面谷折罫線４２を介して立ち上げる。カット４３を下げ凸ロック２５を凹ロックに差し込みロックする。
【産業上の利用可能性】
【００１０】低コスト且つ輸送、在庫に適した紙トレーを提供する。
【符号の説明】
【００１１】１      差込式紙トレー
２      縦側面
２１    内向縦側面
２２    縦側山折用罫線
２３    外向縦側面
２４    差込フラップ
２５    凸ロック
３      横側面
３１    内向横側面
３２    横側山折用罫線
３３    外向横側面
３４    凹ロック
４      底面
４１    縦側底面谷折罫線
４２    横側底面谷折罫線
４３    カット
【図１】
0003185680.tif 000003
【図２】
0003185680.tif 000004
(57)【要約】      （修正有）【課題】ネックレスのチェーン両端部の留め金具を開放具で簡単容易に開錠して取り外すことができるようにしたネックレス留め金具の開放具を提供する。【解決手段】開放具本体１を下部可動翼片２と上部可動翼片３とを発条１２で開閉自在に形成し、下部可動翼片２の先端のみに弾性体４を取着ける。弾性体４には、先端に下部凹孔６を設けた凹状溝を形成する。上部可動翼片３には、先端の外周縁に上部凹孔７を下部凹孔６と相対応して形成した。【選択図】図１
0003185676.tif 000002
【実用新案登録請求の範囲】
【請求項１】
開放具本体（１）は、下部可動翼片（２）と上部可動翼片（３）とを発条（１２）で開閉自在に構成され、該下部可動翼片（２）には、先端にゴム等の弾性体（４）を取着け、該弾性体（４）には、先端に向って下部凹孔（６）と凹状溝（５）を形成し、該上部可動翼片（３）には、先端の外周縁（１４）に上部凹孔（７）を該下部凹孔（６）と相対応して形成したことを特徴とするネックレス留め金具の開放具。
【考案の詳細な説明】
【技術分野】
【０００１】  本考案は、ネックレスのチェーン両端部の留め金具を開放具を以って簡単容易に開錠して取り外すことができるようにしたネックレス留め金具の開放具に関する。
【背景技術】
【０００２】  従来この種のネックレスの留め金具の開放具は、ピンセット状の小型で出来ている金属又は木製で製造されたものが使用されている現状である。
【考案の概要】
【考案が解決しようとする課題】
【０００３】  本考案は、上記従来の各種の問題点を解決するものであって、ネックレスの留め金部分は、非常に小さくて指先で摘むことが非常に困難であると共に、指先に大変な力が必要である問題点がある。
また、女性で爪を長く伸ばしている人や、高齢者で特に指先に力が無い人達には、大変に不便であると云う問題点もある。
【課題を解決するための手段】
【０００４】  上記目的を達成するために、本考案は、開放具本体（１）を上部可動翼片（３）と下部可動翼片（２）を回動軸（１３）で軸止し、該下部可動翼片（２）には、先端のみにゴム等よりなる弾性体（４）を取着ける。この弾性体（４）には、先端に半円形の下部凹孔（６）を設けて、長手方向の凹状溝（５）を一体に形成する。
次に、該上部可動翼片（３）には、先端の外周縁（１４）のみに半円形の上部凹孔（７）を形成して、該下部凹孔（６）と相対応して構成されている。
【考案の効果】
【０００５】  本考案は、以上のように構成されているので、以下の記載されるような効果がある。
開放具本体は、上部可動翼片と下部可動翼片とで構成されているので、留め金部分が小さくて、指先に力が弱い人や高齢者でも容易に操作ができる。
また、上下の可動翼片とを発条を使用しているので、力が無くとも容易に挟むことが可能である。
更に、下部可動翼片には、先端にゴム等の弾性体を使用しているので、挟んだ時に滑ることが無い特性がある。
また、弾性体に設けた下部凹孔と凹状溝とによっては、相対する可動把手と固定把手とを確実強固に挟持する効果もある。
【図面の簡単な説明】
【０００６】
【図１】  本考案の開放具本体の全体斜面図である。
【図２】  同じく本考案の下部可動翼片の内面の正面図である。
【図３】  同じく本考案の上部可動翼片の内面を表わした正面図である。
【図４】  本考案の全体の側面図である。
【図５】  同じく本考案の正面図である。
【図６】  本考案の留め金具と開放具本体との開放より挟持する状態を表わす側面図である。
【考案を実施するための形態】
【０００７】  次に、本考案の用法を説明すると、開放具本体（１）は、下側の下部可動翼片（２）と上側の上部可動翼片（３）を相対応して突設した接続片（１５）を回動軸（１３）を以って可動自在に軸着する。
該下部可動翼片（２）には、先端の一部に弾性体（４）を取着ける。この該弾性体（４）には、長手方向の凹状溝（５）を形成すると共に、先端に下部凹孔（６）を形成する。次に、該上部可動翼片（３）には、先端に設けた外周縁（１４）には、上部凹孔（７）を形成し、該下部凹孔（６）と相対応する位置に形成してある。
該下部可動翼片（２）と該上部可動翼片（３）とを開放し、留め金具（８）の可動把手（１０）と固定把手（１１）とを開放し、留め金具（８）の可動把手（１０）と固定把手（１１）とに掛合して可動軸（９）を開放方向に操作するものである。
【実施例】
【０００８】  本考案の実施例を図面について説明すると、図面に示す如く、ネックレス留め金具の開放具本体（１）は、相対する下部可動翼片（２）と、上部可動翼片（３）とを各々の接続片（１５）（１５）を回動軸（１３）を以って開閉自在に軸着され、該回動軸（１３）には、外周に復元用の発条（１２）を捲着してある。
次に、該下部可動翼片（２）には、先端にゴム等よりなる弾性体（４）を取着してある。該弾性体（４）は、先端に向かって凹状溝（５）を形成して、先端に下部凹孔（６）を形成してある。
また、該上部可動翼片（３）において、先端の外周縁（１４）には、上部凹孔（７）を該下部凹孔（６）と相対応して形成してある。
次に、図６に示す留め金具（８）は、内部に可動軸（９）と、その一部に可動把手（１０）を設ける。
また、該留め金具（８）には、該可動把手（１０）と対向する位置に固定把手（１１）を取着けてある。
【符号の説明】
【０００９】１            開放具本体
２            下部可動翼片
３            上部可動翼片
４            弾性体
５            凹状溝
６            下部凹孔
７            上部凹孔
８            留め金具
９            可動軸
１０          可動把手
１１          固定把手
１２          発条
１３          回動軸
１４          外周縁
１５          接続片
【図１】
0003185676.tif 000003
【図２】
0003185676.tif 000004
【図３】
0003185676.tif 000005
【図４】
0003185676.tif 000006
【図５】
0003185676.tif 000007
【図６】
0003185676.tif 000008
(57)【要約】      （修正有）【課題】投影や書写ができ、携帯性に優れる電動式又は手動式携帯型白板を提供する。【解決手段】可撓性板体１と、巻取り機２と、を備えるように構成され、可撓性板体は、平滑層と、磁石層と、ゲル体層と、基材とを有し、巻取り機から可撓性板体を下方に引っ張られた場合に、ゲル体層から基材を剥離することによってゲル体層で壁面上に貼り付けられ、投影、書写などの目的を簡便に達成すると共に、巻回して収納した後に携帯使用が容易に行える。【選択図】図１
0003185632.tif 000002
【実用新案登録請求の範囲】
【請求項１】
可撓性板体と、巻取り機と、を備える電動式又は手動式携帯型白板であって、
前記可撓性板体は、軟性の多層構造であり、前から後に向かって順に、平滑層と、磁石層と、ゲル体層と、基材とを一同に構成され、
前記巻取り機は、中空長矩形体を有し、その内部には杆体が横設され、かつ底部の後側近傍には開口が開設され、前記杆体に前記可撓性板体の一端が巻設され、前記可撓性板体の他端が前記開口まで延設されることを特徴とする、電動式又は手動式携帯型白板。
【請求項２】
前記中空長矩形体の頂部両側には、吊り下げリングがそれぞれ設けられることを特徴とする、請求項１に記載の電動式又は手動式携帯型白板。
【考案の詳細な説明】
【技術分野】
【０００１】
本考案は、電動式又は手動式携帯型白板に係り、特に、可撓性板体と巻取り機との構成によって、投影や書写の達成、及びその携帯の機動性の向上を図るものに関する。
【背景技術】
【０００２】
現在、市販されている白板の多くは、固定式、かつ折り畳めない構造になっているため、白板の構造自体は、異なる場合、必要に応じて携帯、収納及び投影機との併合使用を行なうことができない。
【０００３】
上述従来の白板の構造における技術欠点は、以下の通りである。
【０００４】
１）書写機能しか有しないため、他の実用的機能を付加することができない。
【０００５】
２）白板の構造を巻回して収容することができないため、携帯の利便性が欠如する。
【０００６】
３）白板の構造を巻回して収容することができないため、無駄な空間を取ってしまい、かつ収納することが難しい。
【０００７】
４）白板の構造に投影効果を有しないため、産業の趨勢にそぐわない。
【考案の概要】
【考案が解決しようとする課題】
【０００８】
本考案の主な目的は、白板の組合せ構造によって、投影、書写や携帯などの目的を実現できる、電動式又は手動式携帯型白板を提供することにある。
【０００９】
本考案の副次的な目的は、巻取り機の吊り下げリングによって、各々の場合に応じて吊り掛ける目的を実現できる、電動式又は手動式携帯型白板を提供することにある。
【課題を解決するための手段】
【００１０】
本願では、上記目的を達成するための具体的技術手段として次のような考案を採用している。
【００１１】
投影、書写や携帯などの目的を実現可能に達成するため、本考案は、可撓性板体と巻取り機とを備えるように共に構成されることにより、実施される。
【００１２】
吊り掛ける目的を実現可能に達成するため、本考案は、巻取り機の頂部両側には、吊り下げリングが設けられることで、それを壁上のフック体に通して吊り下げることができる。
【図面の簡単な説明】
【００１３】
【図１】本考案の全体の装置構造を示す外観斜視図である。
【図２】本考案の全体の装置構造を示す側面断面図である。
【図３】本考案の可撓性板体の構成を示す部分断面図である。
【考案を実施するための形態】
【００１４】
図１〜図３に示すように、本考案は、可撓性板体１と、巻取り機２と、を備えるように構成される。
【００１５】
可撓性板体１は、軟性の多層構造であり、前から後に向かって順に、平滑層１１と、磁石層１２と、ゲル体層１３と、基材１４とを一同に構成される。
【００１６】
巻取り機２は、中空長矩形体２１を有し、その内部には杆体２２が横設され、かつ底部の後側近傍には開口２３が開設される。また、可撓性板体１の一端は前記杆体２２に巻設され、その他端は開口２３まで延設される。
【００１７】
なお、上述した前記中空長矩形体２１の頂部両側には、吊り下げリング２４がそれぞれ設けられる。
【００１８】
実施に際して、巻取り機２の吊り下げリング２４を装着しようとする壁面上に吊り掛けると共に、巻取り機２を起動させて杆体２２が回転すると、可撓性板体１を開口２３から中空長矩形体２１の外部まで延出させて、所要の位置まで操作し続ける。次に、可撓性板体１の基材１４をゲル体層１３から剥離した後にゲル体層１３で壁面上に貼り付けられることによって、外力の影響による揺動を防止することができる。投影しようとする時においても、或いは平滑層１１で書写を実行する時においても、より優れた品質を得ることができる。また、可撓性板体１の内部に磁石層１２が設けられているので、平滑層１１上に磁性物品を貼り付けることが可能で、板体の応用の多様化をより一層図ることができる。その他に、巻取り機２を電動式又は手動式装置になるように配置することで、操作の利便性をさらに向上させることができる。  
【符号の説明】
【００１９】
１  可撓性板体
１１ 平滑層
１２ 磁石層
１３ ゲル体層
１４ 基材
２  巻取り機
２１ 中空長矩形体
２２ 杆体
２３ 開口
２４ 吊り下げリング
【図１】
0003185632.tif 000003
【図２】
0003185632.tif 000004
【図３】
0003185632.tif 000005
(57)【要約】      （修正有）【課題】玄関等で複数の傘及びステッキを整理収納することができるステッキホルダー付き傘立てを提供する。【解決手段】ベース１と左フレーム２及び右フレーム３で構成される。左右のフレーム２，３の中央上部及び下部に複数の傘を収納する為の仕切り４，５を固定し、中央部に補強フレーム６を固定し、左右側面にステッキを収納する為のステッキホルダー８，９を固定する。ベース１には傘受け用のトレー７をセットした。【選択図】図１
0003185607.tif 000002
【実用新案登録請求の範囲】
【請求項１】
ベースと左フレーム及び右フレームで構成され、前記左右のフレームの中央上部及び下部に複数の傘を収納する為の仕切りネットを中央部に補強フレームを左右側面にステッキを収納する為のホルダーを固定し、ベースに傘受け用のトレーをセットしたステッキホルダー付き傘立て。
【考案の詳細な説明】
【技術分野】
【０００１】
本考案は収納の分野で玄関等で複数の傘及びステッキを整理収納するためのワイヤーラックに関するものである。
【背景技術】
【０００２】
従来から玄関等で複数の傘を整理収納するラックはあった。
【考案の概要】
【考案が解決しようとする課題】
【０００３】
従来の傘立ては複数の傘の収納は可能であるが、従来の傘立てにステッキを収納すると、ステッキの柄がぶつかり、ステッキを安全に収納保管する事が出来なかった。
【課題を解決するための手段】
【０００４】
本考案は従来の物のフレームの左右の側面にフックを取り付けステッキ収納用ホルダーとし、前期従来の物に複数の傘のおよびステッキの安全な出し入れを可能にした。
本考案はこれらの問題点を解決するために考案されたものである。
【考案の効果】
【０００５】
従来の傘立ては、複数の傘の収納は可能であるが、ステッキを安全に収納保管する事ができなかったが、傘立てのフレームの左右の側面にフックを取り付け、ステッキ収納用ホルダーとしたことにより、複数の傘およびステッキを安全に出し入れを可能とした。
【考案を実施するための形態】
【０００６】
図１は、ステッキホルダー付き傘立てを正面から見た図である。
図２は、ステッキホルダー付き傘立てを左側から見た図である。
図３は、ステッキホルダー付き傘立てを右側から見た図である。
図４は、ステッキホルダー付き傘立てを斜め上から見て、本体とトレーを分離した図である。
図５は、本体とトレーを組み合わせた図である。
図６は、従来の傘立てと本考案に係るステッキホルダー付き傘立てを比較した図である。
図１〜図４の符号は、１：ベース、２：左フレーム、３：右フレーム、４：上部仕切り、５：下部仕切り、６：補強フレーム、７：トレー、８：左ステッキホルダー、９：右ステッキホルダーを示している。
傘立てのフレームの左右の側面にフックを取り付け、ステッキ収納用ホルダーとしたことにより、複数の傘およびステッキを安全に出し入れを可能とした。
【図面の簡単な説明】
【０００７】
【図１】ステッキホルダー付き傘立てを正面から見た図である。
【図２】ステッキホルダー付き傘立てを左側から見た図である。
【図３】ステッキホルダー付き傘立てを右側から見た図である。
【図４】ステッキホルダー付き傘立てを斜め上から見て、本体とトレーを分離した図である。
【図５】本体とトレーを組み合わせた図である。
【図６】従来の傘立てと本考案に係るステッキホルダー付き傘立てを比較した図である。
【符号の説明】
【０００８】
１  ベース
２  左フレーム
３  右フレーム
４  上部仕切り
５  下部仕切り
６  補強フレーム
７  トレー
８  左ステッキホルダー
９  右ステッキホルダー
１０（１，２，３，４，５，６を接続した本体）
【図１】
0003185607.tif 000003
【図２】
0003185607.tif 000004
【図３】
0003185607.tif 000005
【図４】
0003185607.tif 000006
【図５】
0003185607.tif 000007
【図６】
0003185607.tif 000008
(57)【要約】      （修正有）【課題】カーテンレール上面の埃を落としてきれいにできるカーテンランナーを提供する。【解決手段】カーテンレールに取り付けられる本体１と屈曲可能な線状部材により本体に接続されたうちわ状の部分２と、を備えたカーテンランナーであって、うちわ状の部分は、カーテンレール上面部に配置されるものであることを特徴とする。【選択図】図１
0003185654.tif 000002
【実用新案登録請求の範囲】
【請求項１】
本体１をカーテンレールに取り付けることで、カーテンの開け閉めによって、本体１のうちわ状の部分２が動き、風力でカーテンレールの上面の埃を落としてきれいにすることができるカーテンランナー。
【考案の詳細な説明】
【技術分野】
【０００１】  本考案は、本体１をカーテンレールに取り付けることによって、カーテンの開け閉めにより、うちわ状の部分２が動き、風で埃を落としてカーテンレール上面の埃をきれいにするようにしたものである。
【考案の概要】
【考案が解決しようとする課題】
【０００２】  カーテンレール上面の埃は、長い間にすごくたまり、衛生的に良くないし、掃除をするのが面倒なので、本考案はこの課題を解消するためになされたものである。
【課題を解決するための手段】
【０００３】  本体１をカーテンレールに取り付けることによって、カーテンレールの開け閉めで、本体１が動き、うちわ状の部分２が動き、風でカーテンレール上面の埃をきれいにするようにした。
【考案の効果】
【０００４】  このようにすれば、面倒な掃除もしなくても、カーテンレール上面の埃がたまる前にきれいにすることができる。
【図面の簡単な説明】
【０００５】
【図１】本体１の全体図
【図２】本体１の側面図
【考案を実施するための形態】
【０００６】  カーテンランナーからカーテンレール上面にのびるような形状にし、針金状に曲がることができるようにして位置を調節できるようにする。さらにうちわ状の部分２を組み合わせ、風によってカーテンレール上面の埃をきれいにできるようにする。
【符号の説明】  １  本体
２  うちわ状の部分
【図１】
0003185654.tif 000003
【図２】
0003185654.tif 000004
【手続補正書】
【提出日】平成25年6月6日(2013.6.6)
【手続補正１】
【補正対象書類名】実用新案登録請求の範囲
【補正対象項目名】全文
【補正方法】変更
【補正の内容】
【実用新案登録請求の範囲】
【請求項１】
カーテンレールに取り付けられる本体１と屈曲可能な線状部材により前記本体に接続されたうちわ状の部分２と、を備えたカーテンランナーであって、前記うちわ状の部分は、カーテンレール上面部に配置されるものであることを特徴とするカーテンランナー。